(57)【要約】  【課題】  従来、電解槽の上に電装部品を配置し箱体に収納した整水ユニットを流し台のシンク後側の空間に上部が浸入した状態に取り付けるが、整水ユニットと電装部品を収納した水栓ケースと浄水器は夫々別個に取り付けられパイプとリード線は長い。本発明は整水ユニットを改良し、水栓ケースに相当するスイッチケースと整水ユニットの流し台への取り付けを共通化し、電解槽から上方へ延びるパイプ及び電装部からスイッチケース内のスイッチ部へ接続されるリード線を短く且つこれらを保護できる構成とする。  【解決手段】  電装部と電解槽が隣接並置された整水ユニットが流し台のシンク周辺部の上壁下面に近接状態でシンクの後側の空間に収められ、スイッチ装置を備えたスイッチケースと整水ユニットはこれら両者を接続する接続筒にて前記上壁に固定され、電解槽の吐出パイプと、スイッチ装置と電装部とを結ぶリード線をこの接続筒内に通す。【選択図】    図３
2006016799.tif 000002
【特許請求の範囲】
【請求項１】
上水道水が浄水器にて浄化された浄水を導入してイオン水を生成する電解槽を備え、スイッチ装置によって吐出パイプからアルカリ水と酸性水と前記浄水を選択的に取り出すよう流し台に組み込まれる整水装置において、前記電装部と前記電解槽が隣接並置された整水ユニットが前記流し台のシンク周辺部の上壁下面に近接した状態でシンクの後側に形成される空間に収められ、前記スイッチ装置を備えたスイッチケースが前記整水ユニットの上方位置で前記上壁へ配置され、前記整水ユニットと前記スイッチケースはこれら両者を接続する接続筒にて前記上壁に固定され、前記吐出パイプと、前記スイッチ装置と前記電装部とを結ぶリード線が前記接続筒内を通って配置されたことを特徴とする流し台組み込み整水装置。
【請求項２】
前記電装部と前記電解槽が箱体に収納され、前記浄水器から前記電解槽に導入される浄水の入口部と前記浄水器へ流入する上水道水路を開閉する電磁弁とが前記整水ユニットの下部に配置されたことを特徴とする請求項１に記載の流し台組み込み整水装置。
【請求項３】
前記浄水器は前記空間内で前記整水ユニットに並列に縦方向に配置されて前記上壁に取り付けられたことを特徴とする請求項１又は２に記載の流し台組み込み整水装置。
【請求項４】
前記浄水器はその中の浄水フィルタを前記流し台の上面側から交換可能に前記スイッチケースと横並び状態に前記上壁に取り付けられ、前記電磁弁から前記浄水器へ導入される上水道水パイプと前記浄水器から前記電解槽に導入される浄水パイプが前記空間内で前記整水ユニットの横に隣接配置されたことを特徴とする請求項１又は２に記載の流し台組み込み整水装置。
【発明の詳細な説明】
【技術分野】
【０００１】
本発明は、浄水フィルタを備えた浄水器を通過した上水道水を電解槽に導入して生成したイオン水を吐出パイプから取り出す整水装置に関し、特に流し台のシンクの後空間に組み込む整水装置に関する。
【背景技術】
【０００２】
浄水フィルタを備えた浄水器、この浄水器から出る浄水を導入してイオン水を作る電解槽、及びイオン水の取り出しと停止を制御するスイッチ装置を備え、このスイッチ装置を流し台の上方へ突出状態に配置し、スイッチ装置の操作によってイオン水をメインパイプから取り出し、余水をサブパイプから取り出す構成の整水装置を流し台の下部に収納設置したものがある。（例えば、特許文献１参照）。
【０００３】
この特許文献１の発明では、電解槽に電気的に接続される電装部品が電解槽の上方に配置された状態で電解槽と電装部品が箱体に収納されて整水ユニットを構成しており、電解槽からの吐出パイプと整水ユニットの上部とがシンクの後側に形成される空間に侵入した状態に配置される構成によって、シンク後方のデッドスペースを有効利用し、電解槽からメインパイプとサブパイプへ至る配管と、スイッチ装置に接続する電気配線も、デッドスペースであるシンク後方の空間を略垂直に立ち上がることによって短くできる等の効果を奏するものである。
【特許文献１】特開２００３−２１３７５０号
【発明の開示】
【発明が解決しようとする課題】
【０００４】
この特許文献１の発明では、電装部品が電解槽の上方に配置された状態で電解槽と電装部品が箱体に収納されて整水ユニットを構成しているため、流し台のシンクの後側に形成されるデッドスペースには、整水ユニットはその上部がこのデッドスペースに浸入しているが下部はシンクよりも下方へ露出した状態で浄水器と整水ユニットは支持台に載置されている。そして電解槽から上方へ延びるパイプは、整水ユニットの下端部側面から出て流し台の上面に取り付けた水栓ケース内へ向けて上方へ垂直状態に延びている。このため、整水ユニットと水栓ケース、及び浄水器はそれぞれ別個に取り付けられる構成であり、これらを接続するパイプは長くなり、シンク下方空間に長く露出した状態である。また、電装部から水栓ケース内のスイッチ部へ接続されるリード線もこのパイプに沿って配置しているため、長くなっている。
【０００５】
このような点に鑑みて、本発明は、整水ユニットを改良し、且つ上記水栓ケースに相当するスイッチケースと整水ユニットの流し台への取り付け構成を改良することによって、これらの取り付けを共通化し、電解槽から上方へ延びるパイプ及び電装部からスイッチケース内のスイッチ部へ接続されるリード線を短くできると共に、これらを保護できる構成を提供するものである。
【課題を解決するための手段】
【０００６】
第１の発明は、上水道水が浄水器にて浄化された浄水を導入してイオン水を生成する電解槽を備え、スイッチ装置によって吐出パイプからアルカリ水と酸性水と前記浄水を選択的に取り出すよう流し台に組み込まれる整水装置において、前記電装部と前記電解槽が隣接並置された整水ユニットが、前記流し台のシンク周辺部の上壁下面に近接した状態でシンクの後側に形成される空間に収められ、前記スイッチ装置を備えたスイッチケースが前記整水ユニットの上方位置で前記上壁へ配置され、前記整水ユニットと前記スイッチケースはこれら両者を接続する接続筒にて前記上壁に固定され、前記吐出パイプと、前記スイッチ装置と前記電装部とを結ぶリード線が前記接続筒内を通って配置されたことを特徴とする。
【０００７】
また、第２の発明は、第１の発明において、前記電装部と前記電解槽が箱体に収納され、前記浄水器から前記電解槽に導入される浄水の入口部と前記浄水器へ流入する上水道水路を開閉する電磁弁とが前記整水ユニットの下部に配置されたことを特徴とする。
【０００８】
更に、第３の発明は、第１又は第２の発明において、前記浄水器は前記空間内で前記整水ユニットに並列に縦方向に配置されて前記上壁に取り付けられたことを特徴とする。
【０００９】
更にまた、第４の発明は、第１又は第２の発明において、前記浄水器はその中の浄水フィルタを前記流し台の上面側から交換可能に前記スイッチケースと横並び状態に前記上壁に取り付けられ、前記電磁弁から前記浄水器へ導入される上水道水パイプと前記浄水器から前記電解槽に導入される浄水パイプが前記空間内で前記整水ユニットの横に隣接配置されたことを特徴とする。
【発明の効果】
【００１０】
第１の発明では、整水ユニットが電装部と電解槽の隣接並置された構成であり、流し台のシンク周辺部の上壁下面に近接した状態で前記シンクの後側に形成される空間に収められるため、その直上に配置したスイッチケース内のスイッチ部と電装部を結ぶリード線が短くなり、電解槽の吐出パイプも短くできる。そして、整水ユニットとスイッチケースの取り付けと、リード線と吐出パイプのガイドとを接続筒によって行うことによって、整水ユニットとスイッチケースの取り付け構造が簡素化され、整水ユニットとスイッチケースとを結ぶリード線と吐出パイプを接続筒内に通すことによって、リード線と吐出パイプの保護ができ、スイッチケースによって吐出パイプをカバーする構成を採用し易くなる。
【００１１】
第２の発明では、第１の発明の効果に加えて、整水ユニットは、電解槽に電気的に接続される電装部と電解槽が横並び隣接状態で箱体に収納されたコンパクト構成であり、もう一つの実施態様としては、整水ユニットは、電解槽に電気的に接続される電装部と電解槽は前後方向に重なる隣接状態で箱体に収納されたコンパクト構成である。また、浄水器から電解槽に導入される浄水の入口部と、浄水器へ流入する上水道水路を開閉する電磁弁を整水ユニットの直下に配置することによって、この浄水の入口部と電磁弁の保護に適し、構成もコンパクトになる。
【００１２】
第３の発明では、第１又は第２の発明の効果に加えて、浄水器は前記空間内で整水ユニットと横並び状態に流し台の上壁に取り付けられるため、浄水器がシンク下方空間に収納される物品の出し入れの邪魔にならず、浄水器の保護と、浄水器と電解槽を結ぶパイプの保護にも適する。
【００１３】
第４の発明では、第１又は第２の発明の効果に加えて、浄水器が流し台の上壁に取り付けられるため、浄水器中の浄水フィルタの交換がし易くなる。また、整水ユニットの下方領域を利用して、浄水器から電解槽に導入される浄水の入口部と、浄水器へ流入する上水道水路を開閉する電磁弁を電解槽の直下に配置でき、更に、電磁弁と浄水器間のパイプと、浄水器と電解槽間のパイプを前記空間に配置できるため、これらパイプの保護ができると共に、パイプが短くコンパクト構成となる。
【発明を実施するための最良の形態】
【００１４】
本発明は、電装部と電解槽が隣接並置された整水ユニットが流し台のシンク周辺部の上壁下面に近接した状態でシンクの後側に形成される空間に収められ、スイッチ装置を備えたスイッチケースを前記上壁へ配置し、整水ユニットとスイッチケースはこれら両者を接続する接続筒にて前記上壁に固定され、電解槽の吐出パイプと、スイッチ装置と電装部とを結ぶリード線をこの接続筒内に通すものであり、以下に本発明の実施形態を記載する。
【実施例１】
【００１５】
次に、本発明の実施の形態について説明する。各図は本発明の実施形態を示しており、図１は本発明の整水装置を流し台に設置した状態の正面視での説明図、図２は本発明の整水装置を流し台に設置した状態の側面視での説明図、図３は本発明の整水ユニットとスイッチケースとの取り付け状態を断面で示す説明側面図、図４は本発明のスイッチケース部分の正面図、図５は本発明に係る流し台の前方側部分の部品配置状態を示す説明平面図、図６は本発明に係る電解槽の斜視図、図７は図６の電解槽の側面図、図８は本発明に係る他の形態の電解槽の斜視図、図９は図８の電解槽の側面図である。
【００１６】
本発明の整水装置と流し台との関係の構成を図１乃至図７に基づき説明する。本発明の整水装置１は、上水道水が浄水器２にて浄化された浄水を導入してイオン水を生成する電解槽３を備え、スイッチ装置８によって吐出パイプ４からアルカリ水と酸性水と前記浄水を選択的に取り出すよう流し台に組み込まれる整水装置１において、電解槽３と、電解槽３に電気的に接続される電気部品やそれを取り付けたプリント基板等を含む電装部５とが隣接並置されて整水ユニット７を構成する。整水ユニット７は、流し台３０のシンク３２周辺部の上壁３１下面に近接した状態でシンク３２の後側に形成される空間４１に収められている。スイッチ装置８を備えたスイッチケース８０が電解槽３の真上でシンク３２周辺部の上壁３１へ配置され、吐出パイプ４は、一つ又は複数パイプから構成され途中部分がスイッチケース８０内を上方へ通るように電解槽３から上方へ延びている。スイッチ装置８と電装部５を電気的に接続するリード線４６と、電解槽３から上方へ延びる吐出パイプ４の部分とが整水ユニット７と上壁３１に渡る接続筒体１００内を通ることにてこれらが覆われ、この筒体１００を利用して整水ユニット７とスイッチケース８０を流し台３０の上壁３１に固定したものである。
【００１７】
具体的には、接続筒体１００は、下端部が整水ユニット７に連結し上端部が上壁３１を貫通してスイッチケース８０内に延び、このスイッチケース８０内に延びた部分に螺合するナット１０１にて上壁３１に締付固定され、スイッチケース８０は筒体１００の上部にネジ１０２等にて固定される構成である。
【００１８】
以下に、本発明の実施例１に係る具体的構成を記載する。本発明の整水装置１は、浄水フィルタ２Ａを備えた浄水器２を通過した上水道水を電解槽３に導入して生成したイオン水を吐出パイプ４から取り出すものであり、電解槽３に電気的に接続される電装部５と電解槽３は、一つ又は別個の箱体６に収納されて隣接並置されて一体化した整水ユニット７を構成している。電装部５へは電源供給ライン４５から給電される。
【００１９】
１２は市井の上水道水の供給パイプを開閉する止水栓を回すための回転摘みであり、この回転摘み１２によって止水栓を開くことによって、上水道水が上水道水路を構成するパイプ１３から浄水器２に導入される。パイプ１３の上水道水路は、後述のようにスイッチ装置８の操作に基づき電磁弁１４で開閉される。この浄水器２は、不織布のフィルタを通して塵を濾過した後、粒状活性炭の浄化層と中空糸膜を順次通して残留塩素、トリハロメタン、農薬、濁り、カルキ臭等を濾過する浄水フィルタ２Ａを備えている。この浄水フィルタ２Ａは、不織布のフィルタ、粒状活性炭の浄化層及び中空糸膜が収納されたカートリッジタイプであり、市場に出回っているカートリッジ構成であり、交換のために浄水器２の本体内に着脱自在に取り付けられる構成である。
【００２０】
吐出パイプ４は、二本のパイプ４Ａ、４Ｂで構成している。パイプ４Ａは、電解槽３から上方へ延びたパイプ４Ａ１と、スイッチケース８０内に配置した可撓性パイプ４Ａ２と、パイプ４Ａ１とパイプ４Ａ２を連結するようスイッチケース８０内に取り付けた合成樹脂成形体のパイプ４Ａ３とから構成されている。パイプ４Ａ２の上端には接続パイプ４Ａ４を介して後述のようにメインパイプ１５が連結されている。吐出パイプ４Ａ、４Ｂは、このように複数のパイプの接続で構成してもよいが、１本のパイプで構成してもよい。
【００２１】
また、パイプ４Ｂは、電解槽３から上方へ延びたパイプ４Ｂ１と、スイッチケース８０内に配置した可撓性パイプ４Ｂ２と、パイプ４Ｂ１とパイプ４Ｂ２を連結するようスイッチケース８０内に取り付けた合成樹脂成形体のパイプ４Ｂ３とから構成されている。パイプ４Ｂ２の上端には接続パイプ４Ｂ４を介して後述のようにサブパイプ１６が連結されている。
【００２２】
浄水器２に導入された上水道水は浄水フィルタ２Ａを通って浄水となり、この浄水は後述のカルシウム添加筒２Ｂ内のカルシウムを通過した後、パイプ１０を通って電解槽３に導入される。電解槽３は、プラスとマイナスの電極によって上水道水を電気分解してアルカリイオン水と酸性水（酸性イオン水ともいう）を生成する公知の機能を有する。一方の電極をプラスに、他方の電極をマイナスに通電する（これを「正通電」と称することとする）場合と、これとは逆に電極の極性を逆にするように一方の電極をマイナスに、他方の電極をプラスに通電する（これを「逆通電」と称することとする）場合と、両電極に通電しない場合とにスイッチ装置８によって選択できる。
【００２３】
スイッチ装置８は、スイッチ８Ａ、８Ｂ、８Ｃ、８Ｄを備え、スイッチ８ＡはＯＮごとに三つの状態、即ち、強アルカリイオン水、弱アルカリイオン水、及び浄水の三種類の水を選択するものである。この三つの選択状態は、スイッチ８ＡのＯＮごとに順次点灯が切り替えられる表示灯１７Ａ、１７Ｂ、１７Ｃの点灯によって表示される。スイッチ８Ｃは酸性水の供給を選択するスイッチであり、ＯＮによって表示灯１８が点灯し再度のＯＮによって表示灯１８が消灯する。スイッチ８Ｂは、スイッチ８Ａ又はスイッチ８ＣをＯＮさせた状態で、強アルカリイオン水、弱アルカリイオン水、浄水、又は酸性水の供給を開始し、そして停止する給水ＯＮ―ＯＦＦスイッチである。
【００２４】
スイッチ８Ｄは、浄水器２の浄水フィルタを交換する場合に使用するものであり、スイッチ８ＤをＯＮして表示灯１９を点灯させて浄水フィルタ交換中を表示し、浄水フィルタ交換後に再度スイッチ８ＤをＯＮすることによって、表示灯１９が消灯して通常状態に復帰したことを確認できる。
【００２５】
上記正通電は、スイッチ装置８のスイッチ８ＡのＯＮによってアルカリイオン水を選択した状態で給水ＯＮ―ＯＦＦスイッチ８ＢをＯＮさせることによって達成できる。スイッチ８Ａによって、例えば、表示灯１７Ａが点灯する強アルカリイオン水を選択し、給水ＯＮ―ＯＦＦスイッチ８ＢをＯＮさせることによって、電解槽３の前記電極に通電されると共に電磁弁１４が開き、上水道水がパイプ１３から浄水器２を通過して電解槽３へ導入される通路が形成される。電解槽３で生成された強アルカリイオン水が、吐出パイプ４Ａを通ってメインパイプ１５から取り出される。前記電極及び電磁弁１４への通電は、電装部品５の一つである図示しないリレーが自己保持することによって保持される。
【００２６】
この正通電によって酸性水も生成されるため、この酸性水は、吐出パイプ４Ｂを通ってサブパイプ１６から取り出されるが、この場合の正通電は強アルカリイオン水の取り出しが主体であるため、サブパイプ１６から取り出される酸性水は余水として排出される水と考えてよい。正通電の停止は、給水ＯＮ―ＯＦＦスイッチ８Ｂを再度ＯＮさせることによって、前記リレーの自己保持が解除して達成できる。
【００２７】
弱アルカリイオン水の供給は、スイッチ８Ａによって、表示灯１７Ｂが点灯した状態で給水ＯＮ―ＯＦＦスイッチ８ＢをＯＮさせることによって、同様に達成できる。
【００２８】
上記逆通電は、スイッチ装置８のスイッチ８Ｃによって酸性水を選択した状態で給水ＯＮ―ＯＦＦスイッチ８ＢをＯＮさせることによって達成できる。スイッチ８ＣをＯＮさせ、給水ＯＮ―ＯＦＦスイッチ８ＢをＯＮさせることによって、電解槽３の電極に通電されると共に電磁弁１４が開き、上水道水がパイプ１３から浄水器２を通過した後、浄水供給パイプ１０を介して電解槽３へ浄水が導入される通路が形成され、電解槽３で生成された酸性水が、吐出パイプ４Ａを通ってメインパイプ１５から取り出される。電解槽３及び電磁弁１４への通電は、電装部品５の一つである図示しないリレーが自己保持することによって保持される。
【００２９】
この逆通電によってアルカリイオン水も生成されるため、このアルカリイオン水は、吐出パイプ４Ｂを通ってサブパイプ１６から取り出されるが、この逆通電は、酸性水の取り出しが主体であるため、サブパイプ１６から取り出されるアルカリイオン水は、余水として排出される水と考えてよい。この逆通電の停止は、給水ＯＮ―ＯＦＦスイッチ８Ｂを再度ＯＮさせることによって、前記リレーの自己保持が解除して達成できる。
【００３０】
また、浄水の取り出しは、スイッチ８Ａによって表示灯１７Ｃが点灯する状態を選択し、給水ＯＮ―ＯＦＦスイッチ８ＢをＯＮさせることによって達成される。これによって、電解槽３への通電回路は遮断した状態であり、電磁弁１４は通電にて開き、上水道水がパイプ１３から浄水器２を通過して電解槽３へ導入される通路が形成されるが、電解槽３の電極には通電されていないので、上水道水が浄水器２を通過したそのままの状態で吐出パイプ４Ａを通ってメインパイプ１５から取り出される。電磁弁１４への通電は、電装部品５の一つである図示しないリレーが自己保持することによって保持される。
【００３１】
この場合、吐出パイプ４Ｂを通ってサブパイプ１６からも同様の浄水が取り出されるため、このサブパイプ１６とメインパイプ１５から取り出される浄水を共にコップなどの容器に受けることができる。この浄水取り出しの停止は、給水ＯＮ―ＯＦＦスイッチ８Ｂを再度ＯＮさせることによって、前記リレーの自己保持が解除して達成できる。
【００３２】
二本の吐出パイプ４Ａ、４Ｂは、パイプ４Ａ２と４Ｂ２の上端の接続パイプ４Ａ４、４Ｂ４に対して、それぞれメインパイプ１５とサブパイプ１６が接続環２０、２１によって回動可能に接続されている。この接続環２０、２１はスイッチ装置８のコントロールボックス８０の上面に配置しており、メインパイプ１５とサブパイプ１６はこの部分で水密状態で左右に回動可能である。このため、メインパイプ１５とサブパイプ１６の取り付けと交換は、この接続環２０、２１を外すことによって行える。この構成によって、メインパイプ１５とサブパイプ１６は正面視で、前後方向に重なる状態となり、また、回動によって左右いずれに向いた任意の状態をとることもできる。
【００３３】
スイッチ装置８は、吐出パイプ４Ａ、４Ｂを保持しカバーする水栓ケース８０に取り付けられている。水栓ケース８０は、スイッチ装置８に対する電気的絶縁と防水のために合成樹脂製の防水構成であり、前面のスイッチタッチ面は可撓性の合成樹脂フィルムによって水密状態に覆われ、内部にスイッチとそれに係わる取り付け部材やリード線などが収納されている。
【００３４】
２２は一般的な混合栓であり、上水道水が上水道水供給パイプ２５を通して供給され、温水が温水供給パイプ２４から供給され、上水道、温水、及び上水道と温水の混合水を選択的に取り出すことができる従来周知の構成である。
【００３５】
本発明の整水装置１は、流し台３０に適用して効果がある構成である。すなわち、流し台３０は、上板３１よりも窪んでシンク３２が形成され、シンク３２の下方空間３３は物品の収納空間である。このような流し台３０において、整水ユニット７は、電解槽３に電気的に接続される電装部５と電解槽３は横並び状態に隣接並置されて整水ユニット７を構成している。この整水ユニット７は、シンク３２の後側に形成される空間４１に収められた状態である。これによって、シンク３２がシンク３２の下方空間３３に収納される物品の出し入れ等に対する防護壁となるため、電装部５と電解槽３が損傷を受けることが少なくなる。
【００３６】
また、空間４１を有効に利用して、空間３３に収納される物品の出し入れ等によって電装部５と電解槽３が損傷を受けることがないようにするためには、整水ユニット７を上壁３１下面に近接又は当接した状態に配置して、電装部５と電解槽３がシンク３２の下面３２Ａよりも上方位置になるように空間４１に収納する方法がある。
【００３７】
また、スイッチ装置８を備えたスイッチケース８０は、整水ユニット７の上方位置に配置されている。具体的には、スイッチケース８０が、電解槽３の真上でシンク３２周辺部の上壁３１へ配置され、吐出パイプ４Ａ、４Ｂは、その途中部分がスイッチケース８０内を上方へ通るように電解槽３から上方へ延びている。また、スイッチ装置８と電装部５を電気的に接続するリード線４６と電解槽３から上方へ延びる吐出パイプ４Ａ、４Ｂの中間部分とが、整水ユニット７と上壁３１に渡る接続筒体１００で覆われている。
【００３８】
具体的には、接続筒体１００は、黄銅の成形体であり、その下端部に形成した鍔部１００Ａが整水ユニット７の箱体６の上壁に係止にて連結され、接続筒体１００の上端部が上壁３１を貫通してスイッチケース８０内に延び、このスイッチケース８０内に延びた部分の外面に形成したネジ部に螺合するナット１０１にて上壁３１に締付固定される。
【００３９】
シンク３２周辺部の上壁３１の一つの形態としては、シンク３２と一体成形によって形成されており、シンク３２はステンレススチールをプレス加工によって所定形状に窪ませたものであり、その周辺部に平坦な上壁３１が一体に形成されている。また、他の形態としては、ステンレススチールをプレス加工によって所定形状に窪ませてシンク３２を形成し、このシンク３２の周辺フランジの上に当接される流し台３０の上板（後述の構造体３０Ａに一体形成する部分）が上壁３１を形成した構成でもよい。図示の形態は、前者の形態である。
【００４０】
シンク３２と一体に上壁３１を形成する前者の形態において、シンク３２の安定した固定のために、シンク３２周辺部の上壁３１の周縁部は、流し台３０を構成する構造体３０Ａ、３０Ｂ等によって支持されている。上壁３１へ筒体１００を安定状態に固定するために、筒体１００の中間部外周に形成した鍔部１００Ｂと上壁３１との間に木材等の固定板１０３を介在させた状態で、ナット１０１を締める。これによって、上壁３１と鍔部１００Ｂによって固定板１０３が押し圧状態に締付られ、上壁３１へ筒体１００を安定状態に固定することができ、箱体６、即ち整水装置７を上壁３１へ安定状態に固定することができる。
【００４１】
また、スイッチケース８０の下端は開口しており、この開口部がナット１０１を包含する状態で上壁３１に当接している。このスイッチケース８０の下端開口部には、パイプ４Ａ３、４Ｂ３を一体成形した取り付け部材としての合成樹脂成形体１０４が、スイッチケース８０の下側から嵌合しており、ネジ１０４Ｂによって合成樹脂成形体１０４がスイッチケース８０に固定されて一体化している。このため、合成樹脂成形体１０４はスイッチケース８０の一部分を構成している。そして、スイッチケース８０は、シンク３２周辺部の上壁３１に当接状態において、スイッチケース８０の下端部と合成樹脂成形体１０４を貫通するネジ１０２等によって、筒体１００の上部に固定されている。
【００４２】
このような構成によって、整水ユニット７とスイッチケース８０は、これら両者を接続する接続筒１００によって上壁３１に固定された状態となる。電解槽３から上方のスイッチケース８０内へ延びる吐出パイプ４Ａ、４Ｂは、筒体１００内を通るため筒体１００で覆われる。また、スイッチ装置８と電装部５を電気的に接続するリード線４６は、筒体１００に対応した部分で箱体６から導出されて筒体１００内を通るため、筒体１００で覆われた状態である。このため、リード線４６がネズミによって齧られる虞もなく、また外部力から保護できる状態である。
【００４３】
浄水器２の取り付けに関して、シンク３２の下方空間３３の奥壁３４に沿って支持台３５が設けられ、浄水器２は、シンク３２の後側に形成される空間４１の奥行き寸法Ｔ内で支持台３５の上面に設置されて、整水ユニット７よりも下方位置にて空間３３の奥に設置された状態である。浄水器２は、浄水フィルタ２Ａを通過した浄水にカルシウムを添加するためのカルシウム添加筒２Ｂを備え、浄水器２から逆止弁１０Ｂを通ってパイプ１０へ出る浄水にカルシウムが添加されている。このカルシウムは、電解槽３での電気分解を促進する電解促進剤の作用をするものである。
【００４４】
流し台３０の構成として、シンク３２の形状が、排水孔部３２Ｐの部分の左右両側に空間４１が形成されるように、排水孔部３２Ｐの部分が突出しその左右両側が窪んだ凸形状であれば、この左右の空間４１のいずれか一方の空間４１に本発明の整水ユニット７が収納され、他方空間４１の上方の上壁３１には混合栓２２が取り付けられ、この他方の空間４１に上下方向に上水道水供給パイプ２５と温水供給パイプ２４が配置される。
【００４５】
流し台３０の構成として、シンク３２の形状が、排水孔部３２Ｐの部分も含めて左右方向に略均一な空間４１が形成されるフラット形状である場合は、シンク３２の左右中央部に対応して上壁３１に混合栓２２が取り付けられ、その下方の空間４１に上下方向に上水道水供給パイプ２５と温水供給パイプ２４が配置される。そして、その左右何れかの側において空間４１に本発明の整水ユニット７が収納される配置構成とすることができる。
【００４６】
また、浄水器２から電解槽３に導入される浄水の入口部３Ａと、浄水器２へ流入する上水道水路１３を開閉する電磁弁１４とを、整水ユニット７の下部に配置している。具体的には、浄水器２から浄水供給パイプ１０を通って電解槽３に導入される浄水の入口部３Ａが電解槽３の下面に配置され、電解槽３の上面には吐出パイプ４Ａ、４Ｂを備えている。また、電磁弁１４は、入口部３Ａに隣接する状態で電解槽３の直下に配置され、この電磁弁１４と電解槽３は箱体６内に収納されている。入口部３Ａと浄水供給パイプ１０の接続は、直接又はＬ字状に屈曲した補助パイプ１０Ｃを介してもよいが、箱体６の側面部において接続環１０Ａによって接続されている。電磁弁１４の入口管とパイプ１３との接続は、直接又は補助パイプを介してもよいが、箱体６の底壁において定流量弁内蔵の状態で接続環１３Ａによって接続される。また、電磁弁１４の出口管とパイプ１３との接続は、直接又は補助パイプを介してもよいが、箱体６の側面下部において接続環１０Ａの隣側で接続環１３Ｂによって接続される。電磁弁１４は、上部に作動用ソレノイド１４Ａを備え下部に作動弁を備えている。
【００４７】
このように、浄水器２から電解槽３に導入される浄水の入口部３Ａと浄水器２へ流入する上水道水路１３を開閉する電磁弁１４が、整水ユニット７の下部に配置されるように、電解槽３の直下に配置されている。このため、電磁弁１４と浄水の入口部３Ａとを外力から保護できる効果がある。
【００４８】
また、電磁弁１４から浄水器２へ上水道水を導入する上水道水パイプ１３と、浄水器２から電解槽３に浄水を供給する浄水パイプ１０は、電装部５の直下において箱体６の下部側面に向けて配設されている。このため、浄水器２と、電解槽３への浄水の入口部３Ａと電磁弁１４との接続が電装部５の直下の空間を利用して行えるため、空間の有効利用と共に接続部を外力から保護できる効果がある。
【００４９】
図８及び図９には、電解槽３の前面下部に浄水の入口部３Ａが設けられ、電解槽３の裏面上部に吐出パイプ４Ａ、４Ｂが設けられた形態の電解槽３を示している。この電解槽３の場合は、入口部３Ａと吐出パイプ４Ａ、４Ｂによって電解槽３が占める厚さが厚くなるが、電磁弁１４は電解槽３の直下に配置して電解槽３の直下の空間を有効利用することができる。その他の構成は上記同様である。
【実施例２】
【００５０】
実施例２の構成を図１０乃至図１２に示す。図１０は本発明の整水ユニットとスイッチケースとの取り付け状態の正面視での説明断面図、図１１は本発明の整水ユニットとスイッチケースとの取り付け状態を断面で示す説明側面図、図１２は本発明に係る流し台の前方側部分の部品配置状態を示す説明平面図である。図示のように、浄水器２は空間４１内で整水ユニット７と横並び状態に上壁３１に取り付けられている。実施例１と共通する部分及び同一機能部分には同一符号を付している。浄水器２が整水ユニット７と横並び状態に上壁３１に取り付けられるため、電装部５と電解槽３が前後方向に重なる状態に配置されて箱体６に収納されている。図では電装部５が電解槽３の背後に位置する。箱体６はその中に電装部５を取り付けるために、電装部５の収納部が背面に開口し、この開口を蓋６Ａで塞いだ構成である。
【００５１】
浄水器２を上壁３１へ安定状態に固定するために、筒状ケース２Ｐ上部の筒部１１０が上壁３１と木材等の固定板１０３を貫通し、筒状ケース２Ｐの筒部１１０外周に環状形成したフランジ１１０Ａと上壁３１との間に固定板１０３が介在した状態で、筒部１１０外周の螺子部を利用してナット１１１を締める。これによって、筒状ケース２Ｐのフランジ１１０Ａとナット１１１間に上壁３１と固定板１０３が押し圧状態に締付られ、上壁３１へ浄水器２を安定状態に固定することができる。
【００５２】
浄水器２は、上面が開口したステンレス製の筒状ケース２Ｐの内部に、浄水フィルタ２Ａと、その上方に浄水フィルタ２Ａを通過した浄水にカルシウムを添加するためのカルシウム添加筒２Ｂを備えている。筒状ケース２Ｐは、フランジ１１０Ａの部分を一体成形した構成でもよいが、フランジ１１０Ａを形成した別個の筒部１１０を筒状ケース２Ｐの上端に嵌合させた構成でもよい。
【００５３】
また、筒状ケース２Ｐ内には、ホルダ１１３Ａによって浄水フィルタ２Ａとカルシウム添加筒２Ｂが支持されている。カルシウム添加筒２Ｂはホルダ１１３Ａの上から着脱自在に嵌めこまれ、浄水フィルタ２Ａはホルダ１１３Ａの下部に着脱自在に取り付けられている。ホルダ１１３Ａの上部は、筒状ケース２Ｐ内に水密状態に嵌合ったホルダ１１３Ｂに支持されている。これによって、浄水フィルタ２Ａとカルシウム添加筒２Ｂはホルダ１１３Ａ、１１３Ｂによって、筒状ケース２Ｐ内に筒状ケース２Ｐの上端開口から着脱自在である。
【００５４】
ホルダ１１３Ａ、１１３Ｂの上面を抑えた状態で筒状ケース２Ｐの上端開口を塞ぐように、筒状ケース２Ｐの筒部１１０外周の螺子部には、着脱自在に螺合するキャップ１１２が取り付けられている。カルシウム添加筒２Ｂの上面を覆うように蓋１１２Ａが着脱自在にキャップ１１２に取り付けられている。蓋１１２Ａとキャップ１１２を取り外すことによって、ホルダ１１３Ａ、１１３Ｂと共に浄水フィルタ２Ａとカルシウム添加筒２Ｂを取り外すことができる。
【００５５】
整水ユニット７とスイッチケース８０に係る取り付けは実施例１と同様である。電解槽３は、浄水器２から浄水供給パイプ１０を通って電解槽３に導入される浄水の入口部３Ａを下面に備え、上面には吐出パイプ４Ａ、４Ｂを備えている。この電解槽３は、浄水の入口部３Ａを下側にして浄水器２へ流入する上水道水路１３を開閉する電磁弁１４を入口部３Ａに隣接する状態で電解槽３の直下に配置し、この電磁弁１４と電解槽３は箱体６内に収納されている。入口部３Ａと浄水供給パイプ１０の接続は、直接又はＬ字状に屈曲した補助パイプ１０Ｃを介してもよいが、箱体６の側面部を通って入口部３Ａに接続されている。電磁弁１４の入口管とパイプ１３との接続は、直接又は補助パイプを介してもよいが、箱体６の底壁において定流量弁内蔵の状態で接続環１３Ａによって接続される。また、電磁弁１４の出口管と浄水器２との接続は、箱体６の側面下部において補助パイプ１０Ｃに並設したＬ字状に屈曲したパイプ１３を介して接続される。
【００５６】
このように、浄水器２から電解槽３に導入される浄水の入口部３Ａと浄水器２へ流入する上水道水路１３を開閉する電磁弁１４が、整水ユニット７の下部に配置されるように、電解槽３の直下に配置されている。このため、電磁弁１４と浄水の入口部３Ａとを外力から保護できる効果がある。
【００５７】
また、浄水器２は整水ユニット７に並列に略垂直状態の縦方向に配置され、空間４１に収納された状態であるため、浄水器２がシンク３２下方空間３３に収納される物品の出し入れの邪魔にならない。そして、整水ユニット７の下方領域を利用して、浄水器２から電解槽３に導入される浄水の入口部３Ａと、浄水器２へ流入する上水道水路１３を開閉する電磁弁１４を電解槽３の直下に配置できるコンパクト構成となる。
【００５８】
電磁弁１４から浄水器２へ上水道水を導入する上水道水パイプ１３と、浄水器２から電解槽３に浄水を供給する浄水パイプ１０は、シンク３２の後側に形成される空間４１の奥行き寸法Ｔ内に配置される。また、浄水器２から電解槽３に浄水を供給する浄水パイプ１０は、浄水器２に並列に配置されるため、浄水器２と共に空間４１に収納される。このため、空間の有効利用と共にこれら各部分が外力から保護できる効果がある。
【００５９】
実施例１では、電解槽３に電気的に接続される電装部５と電解槽３が横並び隣接状態で箱体６に収納された構成であるが、実施例２では、上記のように、電解槽３に電気的に接続される電装部５と電解槽３は前後方向に重なる隣接状態で箱体６に収納された構成である。このため、実施例１に比して実施例２の場合は、整水ユニット７の奥行き厚さが大きくなるが、シンク３２の形状が、排水孔部３２Ｐの部分の左右両側に空間４１が形成されるように、排水孔部３２Ｐの部分が突出しその左右両側が窪んだ凸形状であれば、空間４１の奥行き寸法Ｔは十分あるため問題ない。
【００６０】
また、流し台３０の構成として、シンク３２の形状が、排水孔部３２Ｐの部分も含めて左右方向に略均一な空間４１が形成されるフラット形状である場合は、シンク３２の左右中央部に対応して上壁３１に混合栓２２が取り付けられ、その下方の空間４１に上下方向に上水道水供給パイプ２５と温水供給パイプ２４が配置される。そして、その左右何れかの側において空間４１に本発明の整水ユニット７が収納される配置構成とすることができる。
【実施例３】
【００６１】
実施例３の構成を図１３乃至図１５に示す。図１３は本発明の整水ユニットとスイッチケースと浄水器の取り付け状態の正面視での説明断面図、図１４は本発明の整水ユニットとスイッチケースとの取り付け状態を断面で示す説明側面図、図１５は本発明に係る流し台の前方側部分の部品配置状態を示す説明平面図である。図示のように、実施例３では、浄水器２はその中の浄水フィルタ２Ａを流し台３０の上面側から交換可能にスイッチケース８０と横並び状態に流し台３０の上壁３１に取り付けられている。整水ユニット７とスイッチケース８０に係る取り付けは実施例１と同様である。実施例１および実施例２と共通する部分及び同一機能部分には同一符号を付している。
【００６２】
このように、浄水器２はその中の浄水フィルタ２Ａを流し台３０の上面側から交換可能に上壁３１に取り付けられており、浄水器２と電解槽３との間の配管を保護しコンパクトにまとめるために、電装部５と電解槽３が前後方向に重なる状態に配置されて箱体６に収納された整水ユニット７の側面に沿って、浄水器２の接続配管が略垂直状に上下方向に配置されている。図では電装部５が電解槽３の背後に位置し、浄水器２への上水道水導入パイプ１３と浄水器２から電解槽３へ供給される浄水パイプ１０が、空間４１内で前記整水ユニットの横に隣接配置され浄水器２の直下に配置されている。箱体６はその中に電装部５を取り付けるために、電装部５の収納部が背面に開口し、この開口を蓋６Ａで塞いだ構成である。
【００６３】
浄水器２は、合成樹脂製の筒状ケース２Ｐの内部に、浄水フィルタ２Ａと、浄水フィルタ２Ａを通過した浄水にカルシウムを添加するためのカルシウム添加筒２Ｂをその下方に備えている。浄水器２を上壁３１へ安定状態に固定するために、筒状ケース２Ｐのフランジ１１０Ａの下方に形成した小径筒部１１０が、上壁３１と木材等の固定板１０３を貫通し、筒状ケース２Ｐの小径筒部１１０外周に形成した螺子部を利用してナット１１１を締める。これによって、筒状ケース２Ｐのフランジ１１０Ａとナット１１１間に上壁３１と固定板１０３が押し圧状態に締付られ、上壁３１へ浄水器２を安定状態に固定することができる。
【００６４】
筒状ケース２Ｐは、フランジ１１０Ａの部分を一体成形した構成でもよいが、フランジ１１０Ａを形成した別個の筒部１１０を筒状ケース２Ｐの下端開口に嵌合させた構成でもよい。なお、整水ユニット７の取り付けは実施例１と同様である。
【００６５】
筒状ケース２Ｐの上端開口には、螺子にて筒状ケース２Ｐに螺合するキャップ１１２が着脱自在に取り付けられている。キャップ１１２を取り外すことによって、浄水フィルタ２Ａとカルシウム添加筒２Ｂは、筒状ケース２Ｐの上端開口から交換可能である。カルシウム添加筒２Ｂは、浄水フィルタ２Ａと共に筒状ケース２Ｐへ着脱可能な構成とすれば、取り付け取り外しが便利である。
【００６６】
また、電解槽３は、浄水器２から浄水供給パイプ１０を通って電解槽３に導入される浄水の入口部３Ａを下面に備え、上面には吐出パイプ４Ａ、４Ｂを備えている。この電解槽３は、浄水の入口部３Ａを下側にして浄水器２へ流入する上水道水路１３を開閉する電磁弁１４を入口部３Ａに隣接する状態で電解槽３の直下に配置し、この電磁弁１４と電解槽３は箱体６内に収納されている。入口部３Ａと浄水供給パイプ１０の接続は、直接又はＬ字状に屈曲した補助パイプ１０Ｃを介してもよいが、箱体６の側面部を通って入口部３Ａに接続されている。電磁弁１４の入口管とパイプ１３との接続は、直接又は補助パイプを介してもよいが、箱体６の底壁において定流量弁内蔵の状態で接続部１３Ａによって接続される。また、電磁弁１４の出口管と浄水器２との接続は、箱体６の側面下部において補助パイプ１０Ｃに並設した下部がＬ字状に屈曲したパイプ１３を介して接続される。
【００６７】
このように、浄水器２から電解槽３に導入される浄水の入口部３Ａと浄水器２へ流入する上水道水路１３を開閉する電磁弁１４が電解槽３の直下に配置されている。このため、電磁弁１４と浄水の入口部３Ａとを外力から保護できる効果がある。
【００６８】
また、浄水器２が流し台３０の上壁３１に取り付けられるため、浄水器２中の浄水フィルタ２Ａの交換がし易くなる。また、整水ユニットの下方領域を利用して、浄水器から電解槽に導入される浄水の入口部と、浄水器へ流入する上水道水路を開閉する電磁弁を電解槽の直下に配置できる。更に、電磁弁と浄水器間のパイプと、浄水器と電解槽間のパイプをシンク３２の後側に形成される空間４１に配置できるため、電磁弁１４と浄水の入口部３Ａとを外力から保護できると共に、パイプが短くコンパクト構成となる。
【産業上の利用可能性】
【００６９】
本発明に係る整水装置の構成、並びに流し台と整水装置の取り付け構成は、上記実施形態に限定されず、本発明の技術的範囲を逸脱しない限り種々の変更が考えられ、それに係る種々の実施形態を包含するものである。
【図面の簡単な説明】
【００７０】
【図１】本発明の整水装置を流し台に設置した状態の正面視での説明図である。（実施例１）
【図２】本発明の整水装置を流し台に設置した状態の側面視での説明図である。（実施例１）
【図３】本発明の整水ユニットとスイッチケースとの取り付け状態を断面で示す説明図である。（実施例１）
【図４】本発明のスイッチケース部分の正面図である。（実施例１）
【図５】本発明に係る流し台の前方側部分の部品配置状態を示す説明平面図である。（実施例１）
【図６】本発明に係る電解槽の斜視図である。（実施例１）
【図７】図６の電解槽の側面図である。（実施例１）
【図８】本発明に係る他の形態の電解槽の斜視図である。（実施例１）
【図９】図８の電解槽の側面図である。（実施例１）
【図１０】本発明の整水ユニットとスイッチケースとの取り付け状態の正面視での説明断面図である。（実施例２）
【図１１】本発明の整水装置を流し台に設置した状態の側面視での説明断面図である。（実施例２）
【図１２】本発明に係る流し台の前方側部分の部品配置状態を示す説明平面図である。（実施例２）
【図１３】本発明の整水ユニットとスイッチケースと浄水器の取り付け状態の正面視での説明断面図である。（実施例３）
【図１４】本発明の整水ユニットとスイッチケースとの取り付け状態を断面で示す説明側面図である。（実施例３）
【図１５】本発明に係る流し台の前方側部分の部品配置状態を示す説明平面図である。（実施例３）
【符号の説明】
【００７１】
１……整水装置
２……浄水器
２Ａ……浄水フィルタ
３……電解槽
３Ａ……浄水の入口部
４、４Ａ、４Ｂ……吐出パイプ
５……電装部品
６……箱体
７……整水ユニット
８……スイッチ装置
１０、１３…パイプ
１４…電磁弁
１５…メインパイプ
１６…サブパイプ
３０…流し台
３１…上板
３２…シンク
３３…収納空間
４１…シンク後側空間
４６…リード線
１００・・接続筒体
【図１】
2006016799.tif 000003
【図２】
2006016799.tif 000004
【図３】
2006016799.tif 000005
【図４】
2006016799.tif 000006
【図５】
2006016799.tif 000007
【図６】
2006016799.tif 000008
【図７】
2006016799.tif 000009
【図８】
2006016799.tif 000010
【図９】
2006016799.tif 000011
【図１０】
2006016799.tif 000012
【図１１】
2006016799.tif 000013
【図１２】
2006016799.tif 000014
【図１３】
2006016799.tif 000015
【図１４】
2006016799.tif 000016
【図１５】
2006016799.tif 000017